(57)【要約】【課題】  型枠を不要とし、施工性に優れた積みブロックを提供する。【解決手段】  ブロック本体１を横方向に並設すると共に、上下に重ね合わせ、隣り合うブロック本体１，１の胴込材充填用空間８，８に胴込コンクリート34を充填して擁壁を形成するプレキャストコンクリート製の積みブロックにおいて、ブロック本体１は、相互に略平行で下側から上側後に傾斜する前面版２と後面版３とを有し、これら前面版２と後面版３とを中央連結版４により連結し、中央連結版４の左右に、前後を前面版２と後面版３とで略塞いだ胴込材充填用空間８を形成した。【選択図】  図１
0003114908.tif 000002
【実用新案登録請求の範囲】
【請求項１】
ブロック本体を横方向に並設すると共に、上下に重ね合わせ、隣り合うブロック本体の胴込材充填用空間に胴込コンクリートを充填して擁壁を形成するプレキャストコンクリート製の積みブロックにおいて、前記ブロック本体は、相互に略平行で下側から上側後に傾斜する前面版と後面版とを有し、これら前面版と後面版とを中央連結版により連結し、それら前面版と後面版は相互に重ね合わせ可能で略平行な上，下重ね合わせ面を有し、略水平方向に配置した前記上重ね合わせ面に下重ね合わせ面を重ね合わせて自立し、前記中央連結版の左右に、前後を前記前面版と後面版とで略塞いだ前記胴込材充填用空間を形成したことを特徴とする積みブロック。
【請求項２】
前記前面版の前面に擬石模様を有することを特徴とする請求項１記載の積みブロック。
【請求項３】
前記前面版の上面に略裁頭円錐型の係合突起を設け、この係合突起が係入する係合溝を前記前面版の下面に設け、前記係合溝は前後幅より左右幅を大きく形成したことを特徴とする請求項１又は２記載の積みブロック。
【請求項４】
前記前面版の側面及び後面版の側面に、前後を連通する切欠き状の水抜き管挿入用溝を設け、それら前面版と後面版の前記水抜き管挿入用溝を略高さ位置に配置したことを特徴とする請求項１〜３のいずれか１項に記載の積みブロック。
【考案の詳細な説明】
【技術分野】
【０００１】
本考案は、擁壁などに用いる積みブロックに関する。
【背景技術】
【０００２】
従来、この種のものとして、表面版部と、この表面版部の後部に一体に設けた控え部とを備えた積みブロック（例えば特許文献１）や、表面に玉石状の擬石を並設した擁壁用積みブロックであって、隣接擬石間の隙間が擬石の高さの中間部に位置しており、また、擬石、基板及び控えを一体成形のコンクリートとしたもの（例えば特許文献２）がある。
【０００３】
また、前壁部と、後壁部と、前壁部と後壁部の間に介在する中間部とを備え、後壁部に水抜き用の孔が穿設され、本体部の上面には、擁壁 用ブロック同士を上下方向に嵌合させて組み合わせるための突起体が２つ設けられており、本体部の下面には、突起体に対応した位置に、突起体と嵌合させるための凹部（図示せず）が２つ設けられている擁壁用ブロックがある。
【特許文献１】特開２０００−２０２８１４号公報
【特許文献２】特開平１１−２１９２０号公報
【特許文献３】特開２００４−７６５０８号公報
【考案の開示】
【考案が解決しようとする課題】
【０００４】
上記特許文献１の積みブロックでは、表面版部の後側で控え部の間にコンクリートを充填する場合、隣り合う控え部の後面版部に隙間があるため、この隙間を型枠部材などにより塞ぐ必要があり、特許文献２の積みブロックも、控えの後の間を塞ぐ必要がある。
【０００５】
一方、特許文献３の擁壁用ブロックは突起体と凹部との嵌合により、上下のブロックを位置決めすることができるが、下のブロックの左右接合箇所の上部に、上のブロックの左右方向中央を合わせて、上下のブロックを千鳥状に積み重ねる場合、施工誤差などにより、隣り合うブロックの突起体の間隔に誤差が生じ易く、それら突起体と上のブロックの凹部と嵌合が円滑に行われない虞がある。また、この擁壁用ブロックでは、後面部に水抜き用の孔を穿設し、排水を行うようにしているが、１個の水抜き用の孔に水抜き用の管の先端のみを挿入する構造では、背面側の埋め戻しなどの際に水抜き用の管を別途支持する必要などが生じ、施工が煩雑となることが予想される。
【０００６】
本考案は、上記問題点を解決するものであり、胴込めコンクリートを用いる積みブロックにおいて、型枠を不要とし、施工性に優れた積みブロックを提供することを目的とし、また、位置合わせが容易で、さらに、水抜構造の施工が容易な積みブロックを提供することを目的とする。
【課題を解決するための手段】
【０００７】
請求項１記載の考案は、ブロック本体を横方向に並設すると共に、上下に重ね合わせ、隣り合うブロック本体の胴込材充填用空間に胴込コンクリートを充填して擁壁を形成するプレキャストコンクリート製の積みブロックにおいて、前記ブロック本体は、相互に略平行で下側から上側後に傾斜する前面版と後面版とを有し、これら前面版と後面版とを中央連結版により連結し、それら前面版と後面版は相互に重ね合わせ可能で略平行な上，下重ね合わせ面を有し、略水平方向に配置した前記上重ね合わせ面に下重ね合わせ面を重ね合わせて自立し、前記中央連結版の左右に、前後を前記前面版と後面版とで略塞いだ前記胴込材充填用空間を形成したものである。
【０００８】
また、請求項２記載の考案は、前記前面版の前面に擬石模様を有するものである。
【０００９】
また、請求項３記載の考案は、前記前面版の上面に略裁頭円錐型の係合突起を設け、この係合突起が係入する係合溝を前記前面版の下面に設け、前記係合溝は前後幅より左右幅を大きく形成したものである。
【００１０】
また、請求項４記載の考案は、前記前面版の側面及び後面版の側面に、前後を連通する切欠き状の水抜き管挿入用溝を設け、それら前面版と後面版の前記水抜き管挿入用溝を略高さ位置に配置したものである。
【考案の効果】
【００１１】
請求項１の構成によれば、積みブロックを横方向に並設し、この横方向に並設した下段の積みブロックの上に上段の積みブロックを重ね合わせ、この際、略水平方向に配置した上重ね合わせ面の上に上段の積みブロックが自立するため、施工性に優れたものとなる。そして、中央連結版の左右の胴込材充填用空間に、胴込コンクリートを充填し、この際、胴込材充填用空間の前後は、前面版と後面版で略塞がれているため、型枠が不要となり、省力化、工期短縮が可能となり、充填した胴込コンクリートにより、複数の積みブロックを一体化して擁壁を構築することができる。
【００１２】
また、請求項２の構成によれば、前面の擬石模様により、周囲の自然に適合した外観を備えた擁壁が得られる。
【００１３】
また、請求項３の構成によれば、係合突起を係合溝に係入することにより、上下の積みブロックの前後が位置合わせされ、一方、下の積みブロックの左右接合箇所の上部に、上のブロックの左右方向中央を合わせて、上下の積みブロックを千鳥状に積み重ねても、前記係合溝の左右幅が大きく形成されているため、隣り合う積みブロックの係合突起の間隔に誤差が生じても、これを吸収することができる。
【００１４】
また、請求項４の構成によれば、前後の水抜き管挿入用溝に、側方から水抜き管を挿入配置することにより、水抜き管を簡単に配置することができると共に、水抜き管が前後で位置合わせされ、安定して積みブロックに組み込むことができる。
【考案を実施するための最良の形態】
【００１５】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる積みブロックを採用することにより、従来にない積みブロックが得られ、その積みブロックを夫々記述する。
【実施例１】
【００１６】
以下、本発明の積みブロックの実施例について、図１〜図９を参照して説明する。同図に示すように、積みブロックたるプレキャストコンクリート製のブロック本体１は、長方形形状の前面版２と、この前面版２と間隔を置いて配置した長方形形状の後面版３と、これら前面版２と後面版３の幅方向中央を連結する前後方向の中央連結版４とを一体に備える。前記前面版２と後面版３は、相互に略平行で下から上後側に傾斜し、それら前面版２と後面版３の上，下に相互に重ね合わせ可能な上，下重ね合わせ面５，６を有する。前記前面版２の前面には擬石模様７が設けられている。尚、前面版２の前面は擬石模様７を除くと略平坦で、該前面版２は、その側面２Ｓから中央連結版４に向って肉厚になるように形成されており、また、後面版３の前面は略平坦で、該後面版３は、その側面３Ｓから中央連結版４に向って肉厚になるように形成されている。また、前記中央連結版４は前後方向に略同一厚さに形成され、湾曲面４Ｍにより前記前面版２と後面版３とにそれぞれ連結されている。そして、前記前面版２と後面版３との間で、前記中央連結版４の左右に、胴込材充填用空間８，８が形成されており、前面版２の幅Ｗと後面版３と幅とは略等しく、それら前面版２と後面版３とにより胴込材充填用空間８，８の前後を略塞いでいる。尚、後面版３の幅は、前面版２の幅Ｗより７５〜１２５ミリ程度短い。
【００１７】
図４などに示すように、前記前面版２の上面たる上重ね合わせ面５には、左右に係合突起11，11を設け、この係合突起11は略裁頭円錐形をなし、前面版２の側面２Ｓから該前面版２の幅Ｗの略４分の１と位置にそれぞれ設けられている。また、前記後面版３の下面たる下重ね合わせ面６には、前記左右の係合突起11，11に対応した位置に、係合溝12，12を形成し、この係合溝12は前後幅を左右幅より広く設定している。
【００１８】
また、前記前面版２の側面２Ｓと後面版３の側面３Ｓとには、略同一高さ位置に、切欠き状の水抜き管挿入用溝13を形成し、図５に示すように、その挿入用溝13は、開口側がテーパ状で、底部が円弧状に形成されている。
【００１９】
前記中央連結版４の上面には、前側と中央側に吊具係止部たるデーハーアンカー21を設けている。さらに、中央連結版４には、高さ略中央で、前後に貫通孔24，24が形成され、また、その中央連結版４の下面には、切欠き溝状の貫通部22が形成され、これら貫通孔24，24及び貫通部22により、左右の胴込材充填用空間８，８を連通状態にしている。
【００２０】
図６及び図７は、他のブロック本体１Ａを示し、このブロック本体１Ａは、前面版２及び後面版３の左右幅が前記ブロック本体１の幅Ｗの２分の１である点、また、係合突起11及び係合溝12を中央に１箇所設けた点、水抜き管挿入用溝がない点で、前記ブロック本体１と相違する。
【００２１】
次に、前記積みブロックによる擁壁の施工方法について説明すると、図８に示すように、法面31の下部に、現場打ちコンクリートなどにより基礎32を形成し、この基礎32上に、１段目のブロック本体１，１…を並べ、これら１段目のブロック本体１，１…の上に、２段目のブロック本体１，１…を重ね、この際、図９に示すように、上のブロック本体１，１の中央が、下のブロック本体１，１の側面２Ｓ，２Ｓの突合せ箇所に位置するように、千鳥状に積重ね、複数並設したブロック本体１，１の両側は寸法調整のため、前記ブロック本体１Ａ，１Ａを配置し、下のブロック本体１，１の係合突起11，11に係合溝12，12を係合すると、この係合により上下のブロック本体１，１の前後方向位置が正しく設定され、一方、隣り合うブロック本体１，１の係合突起11，11の間隔に誤差が生じても、これを吸収することができる。
【００２２】
また、図８に示したように、ブロック本体１の水抜き管挿入用溝13，13に、塩ビパイプなどの水抜き管33を挿入配置し、挿入用溝13の開口側は隣り合うブロック本体１の側面２Ｓ，３Ｓにより塞ぎ、水抜き管33の後端はブロック本体１の後方に突出し、後述する裏込め材35内に配置される。
【００２３】
また、ブロック本体１，１を横方向に並設した後、或いは複数段に重ね合わせた後、上部から前記胴込材充填用空間８，８…に胴込コンクリート34を充填すると、この現場打ちコンクリートである胴込コンクリートは、貫通孔24及び貫通部22により、スムーズに胴込材充填用空間８，８に充填することができる。また、重ね合わせたブロック本体１，１…の後面と法面31との間には、砕石などの裏込め材35を充填し、通水性を有する部分となる。
【００２４】
このように本実施例では、請求項１に対応して、積みブロックたるブロック本体１を横方向に並設すると共に、上下に重ね合わせ、隣り合うブロック本体１，１の胴込材充填用空間８，８に胴込コンクリート34を充填して擁壁を形成するプレキャストコンクリート製の積みブロックにおいて、ブロック本体１は、相互に略平行で下側から上側後に傾斜する前面版２と後面版３とを有し、これら前面版２と後面版３とを中央連結版４により連結し、それら前面版２と後面版３は相互に重ね合わせ可能で略平行な上，下重ね合わせ面５，６を有し、略水平方向に配置した上重ね合わせ面５に下重ね合わせ面６を重ね合わせて自立し、中央連結版４の左右に、前後を前面版２と後面版３とで略塞いだ胴込材充填用空間８を形成したから、積みブロックを横方向に並設し、この横方向に並設した下段の積みブロックの上に上段の積みブロックを重ね合わせ、この際、略水平方向に配置した上重ね合わせ面５の上に上段の積みブロックが自立するため、施工性に優れたものとなる。そして、中央連結版４の左右の胴込材充填用空間８，８に、胴込コンクリート34を充填し、この際、胴込材充填用空間８，８の前後は、前面版２と後面版３で略塞がれているため、型枠が不要となり、省力化、工期短縮が可能となり、充填した胴込コンクリート34により、複数の積みブロックを一体化して擁壁を構築することができる。
【００２５】
また、このように本実施例では、請求項２に対応して、前面版２の前面に擬石模様７を有するから、前面の擬石模様により、周囲の自然に適合した外観を備えた擁壁が得られる。
【００２６】
また、このように本実施例では、請求項３に対応して、前面版２の上面に略裁頭円錐型の係合突起11を設け、この係合突起11が係入する係合溝12を前面版２の下面に設け、係合溝12は前後幅より左右幅を大きく形成したから、係合突起11を係合溝12に係入することにより、上下の積みブロックの前後が位置合わせされ、一方、下の積みブロックたるブロック本体１，１の左右接合箇所の上部に、上のブロック本体１の左右方向中央を合わせて、上下のブロック本体１，１…を千鳥状に積み重ねても、係合溝12の左右幅が大きく形成されているため、隣り合うブロック本体１、の係合突起11，11の間隔に誤差が生じても、これを吸収することができる。
【００２７】
また、このように本実施例では、請求項４に対応して、前面版２の側面２Ｓ及び後面版３の側面３Ｓに、前後を連通する切欠き状の水抜き管挿入用溝13を設け、それら前面版２と後面版３の水抜き管挿入用溝13，13を略高さ位置に配置したから、前後の水抜き管挿入用溝13に、側方から水抜き管33を挿入配置することにより、水抜き管33を簡単に配置することができると共に、水抜き管33が前後で位置合わせされ、安定して積みブロックに組み込むことができる。
【実施例２】
【００２８】
図１０〜図１４は本考案の実施例２を示し、上記実施例１と同一部分に同一符号を付し、その詳細な説明を省略して詳述すると、この例のブロック本体１Ｂは、前記ブロック本体１より低く、貫通部22及び水抜き管挿入用溝がない点で、前記ブロック本体１と相違する。また、ブロック本体１Ｃは、前記ブロック本体１Ａより低く、貫通部22及び水抜き管挿入用溝がない点で、前記ブロック本体１Ａと相違する。
【００２９】
尚、本考案は上記実施例に限定されるものではなく、本考案の要旨の範囲内において種々の変形実施が可能である。
【図面の簡単な説明】
【００３０】
【図１】本考案の実施例１を示す標準タイプの積みブロックの正面図である。
【図２】同上、平面図である。
【図３】同上、側面図である。
【図４】同上、係合突起と係合溝の係合状態を示す断面図であり、図４（Ａ）は左右方向の断面、図４（Ｂ）は前後方向の断面である。
【図５】同上、水抜き管挿入溝の正面図であり、図５（Ａ）は前面版の側面回り、図５（Ｂ）は後面版の側面回りを示す。
【図６】同上、標準タイプのほぼ２分の１の左右長さを有する積みブロックの正面図である。
【図７】同上、平面図である。
【図８】同上、擁壁の断面図である。
【図９】同上、積み重ね手順を説明する正面図である。
【図１０】本考案の実施例２を示す標準タイプの積みブロックの正面図である。
【図１１】同上、平面図である。
【図１２】同上、横長の貫通孔部分で断面にした積みブロックの断面図である。
【図１３】同上、標準タイプのほぼ２分の１の左右長さを有する積みブロックの正面図である。
【図１４】同上、平面図である。
【符号の説明】
【００３１】
１，１Ａ，１Ｂ，１Ｃ  ブロック本体（積みブロック）
２  前面版
２Ｓ  側面
３  後面版
３Ｓ  側面
４  中央連結版
５  上重ね合わせ面
６  下重ね合わせ面
７  擬石模様
８  胴込材充填用空間
11  係合突起
12  係合溝
13  水抜き管挿入用溝
31  法面
32  基礎
33  水抜き管
34  胴込コンクリート
【図１】
0003114908.tif 000003
【図２】
0003114908.tif 000004
【図３】
0003114908.tif 000005
【図４】
0003114908.tif 000006
【図５】
0003114908.tif 000007
【図６】
0003114908.tif 000008
【図７】
0003114908.tif 000009
【図８】
0003114908.tif 000010
【図９】
0003114908.tif 000011
【図１０】
0003114908.tif 000012
【図１１】
0003114908.tif 000013
【図１２】
0003114908.tif 000014
【図１３】
0003114908.tif 000015
【図１４】
0003114908.tif 000016